(57)【特許請求の範囲】
【請求項１】
袋上部の開口を開閉可能に密封するファスナーを袋片の内面に設け上記開口から一体的に延設される延出部を形成し収納物を収納した後に該延出部の上部をシールするようにした包装袋において、
上記ファスナーの上部の袋片を内面側に二重に折畳みファスナー近くを接着して上記開口の外方に向かって延びる開放片を形成したことを特徴とする包装袋。
【請求項２】
袋上部の開口を開閉可能に密封するファスナーを袋片の内面に設け上記開口から一体的に延設される延出部を形成し収納物を収納した後に該延出部の上部をシールするようにした包装袋において、
上記ファスナーの上部の袋片を外側に折り返しファスナーの上方で接着して上記延出部を形成し、該延出部をカットすることにより開口と該開口の外方に向かって延びる開放片が形成されることを特徴とする包装袋。
【請求項３】
袋上部の開口を開閉可能に密封するファスナーを袋片の内面に設けた包装袋において、上記開口から袋片を外側に折り返しファスナーの上方で接着してから上方に折り返して延出部を形成し、該延出部をカットすることにより上記開口の外方に向かって延びる開放片が形成されることを特徴とする包装袋。
【発明の詳細な説明】
【０００１】
【発明の属する技術分野】
本発明は包装袋に関し、特にはファスナ−付の包装袋に関する。
【０００２】
【従来の技術】
従来、ナフタリンやしょう脳などの固形の衣料用の防虫剤は、包装袋に密封されているが、この包装袋４１は、上部のシ−ル部４２の下方部４３をハサミなどでカットし、袋の開口縁４４を摘んで下方のプラスチツクで形成された凹凸噛み合わせ式のファスナ−４５を開いて必要個数の防虫剤を取出す。そして、取出した後は、ファスナ−４５を外方から指でしごくようにしながら閉じて密封し、防虫剤の昇華を防いで保存している。更に、再び防虫剤を使用する必要が生じた場合には、袋の開口縁４４を摘んで左右に引っ張ってファスナ−４５を開き、収納されている防虫剤を取出している。（図６、図７）
【０００３】
上記防虫剤のような品物の場合には、袋４１の開口縁４４を直接に指で摘んでファスナ−４５を開くようにしても何の不都合もない。しかし、包装袋内に牛乳、ジュ−ス、コ−ヒ−その他の液状等の食品類などが収納されている場合には、収納物を取出す場合に、上記開口縁４４が注ぎ口となって、そこを食品などが通って行くことになる。従って、上記開口縁４４を直接指で摘んでファスナ−４５を開くようにすることは、衛生上も好ましくない。
【０００４】
【発明が解決しようとする課題】
本発明は、包装袋の開口縁に直接指を触れることなく、ファスナ−の開放を効率的かつ衛生的に行うことができるものを得ようとするものである。
【０００５】
【課題を解決するための手段】
本発明は、包装袋の上部の開口を注ぎ口とし、その注ぎ口の下方に袋を開閉可能とするファスナ−を設け、このファスナ−の上方から上記注ぎ口の外方に向かってファスナ−の開放片を形成するようにしたものである。
【０００６】
【発明の実施の形態】
包装袋１の上部の内面にはファスナ−２を設けており、このファスナ−によって袋の密封開閉を行うことができる。袋１の上部は開口され、ここが包装袋内に収納されているものを取り出す場合の注ぎ口３となる。
上記ファスナ−２のやゝ上方には、そこから注ぎ口３の外方へ向かって延びるファスナ−２の開放片４を形成している。図１〜図３に示すものは、ファスナ−２の上部にある袋片を内面側に折り込むようにして開放片４を形成していて、開放片４が折畳み状の二重状態になっており、そのファスナ−に近い部分が溶着等によって接着５されている。
【０００７】
この包装袋１の底部は収納する物品に応じて適当な形状にすることができるが、図示のものでは底部にマチ片６を挿入してほぼ椀状のシ−ル７をしており、袋内にものを収納すると、このマチ片６が開いて底部がほぼ紡錘形となる。そしてこれによって袋を立てた状態に保つことができるようになっている。
【０００８】
上記包装袋に、実際に収納物を収納する場合には、上記した注ぎ口３となる開口から一体的に延設されている延出部８を形成しておき、上記ファスナー２を開いた状態で袋内に牛乳、ジュース、コーヒー、トマトジュースその他の液状物等を充填すると、底部のマチ片６が開いて収納されるので、ファスナー２を閉じる。そして、上記延出部８の上部をシール９すると、包装袋中に収納物が密封されるので、この状態で包装袋を立てたりして輸送、販売等を行うことができる。
【０００９】
袋内の収納物を取出す場合、上記延出部８のシ−ル９のやゝ下方１０をハサミ等でカットし、取り除いて注ぎ口３を形成する。そして、上記開放片４を摘んで左右に引張ると、互いに噛合っているファスナ−２は開くので、包装袋を傾けるようにしながら注ぎ口３から中の収納物を取出すことができる。（図３）
収納されている量が多い場合には中に収納物が残るので、ファスナ−２を外側からしごくようにしながら押えて行けば、ファスナ−２を閉じることができるから、その状態で冷蔵庫など入れて次の使用時まで安全に保管することができる。そして、再び収納物を取り出す場合には、上記と同様に上記開放片４を引っ張ってファスナ−２を開けば、衛生的に取り出すことができる。
【００１０】
図４に示すものは、包装袋１の上部を各々外側に折り返すようにしてファスナー２の上方で適宜に接着５し、袋内に収納物を納めた後で延出部８をシール９するようにしている。上記シール９の下方１０をカットして取り除けば、注ぎ口３と開放片４が形成されるので、この開放片４を持ってファスナー２を開くことができる。
【００１１】
図５に示す包装袋１は、袋の上部を各々外側に折り返して注ぎ口３を設け、ファスナー２の上方で適宜に接着５してから再び上方に折り返し、上記注ぎ口３の上方にまで延出部８を形成している。そして、この袋内に収納物を納めた後で延出部８をシール９するようにしている。上記シール９の下方をカットして取り除くと、注ぎ口３が現れて形成され、また開放片４が形成されるようになっている。
【００１２】
上記開放片は、できるだけファスナーに近い上部から外方へ張出すように形成するとよく、これによって更に少しの作用で容易にファスナーを開放することができる。なお、明細書中において上下の表現を用いているが説明の便宜の為であって、絶対的な上下関係を意味するものではない。
【００１３】
【発明の効果】
本発明は上記したように、開放片によって袋の注ぎ口に直接に指や手を触れることなく、ファスナ−の開閉ができるので、収納物を衛生的に取り出したり、保存することができるし、ファスナ−の開閉も容易であって、上記した液状物やペ−スト状物に限らず、固形物混りのものや固形物などの収納袋として広く用いることができる。
【図面の簡単な説明】
【図１】本発明の実施例を示す正面図である。
【図２】図１の一部省略拡大断面図である。
【図３】図１の包装袋の使用状態を示す説明図である。
【図４】本発明の他の実施例の使用状態を示す説明図である。
【図５】本発明の更に他の実施例の使用状態を示す説明図である。
【図６】従来の包装袋の上部を示す断面図である。
【図７】図６の従来の包装袋の使用状態を示す説明図である。
【符号の説明】
１  包装袋
２  ファスナ−
３  注ぎ口
４  開放片
５  接着
６  マチ片
７  シール
８  延出部
９  シール
【図１】
0003569895.tif 000002
【図２】
0003569895.tif 000003
【図３】
0003569895.tif 000004
【図４】
0003569895.tif 000005
【図５】
0003569895.tif 000006
【図６】
0003569895.tif 000007
【図７】
0003569895.tif 000008